(57)【要約】      （修正有）【課題】歯と歯肉に優しく、為害性が少なく、歯垢除去効率及び歯の延命率が高い歯ブラシとして、使用者の口腔衛生・管理の向上に寄与する歯ブラシを提供する。【解決手段】毛束群１０３、１０４と該毛束群１０３、１０４が植設された植毛台１０１とを含むヘッド部と、該ヘッド部に延接された把持部と、を備えた歯ブラシであって、該ヘッド部のうちの該把持部に近い方を後方向として該把持部から遠い方を前方向としたとき、該毛束群１０３、１０４は、前後方向に長いドーナツ状に配置され、該植毛台１０１は、該ドーナツ状の中央の空間１０２の底部を含む全面に存している。【選択図】図１
0003215254.tif 000002
【実用新案登録請求の範囲】
【請求項１】
毛束群と前記毛束群が植設された植毛台とを含むヘッド部と、前記ヘッド部に延接された把持部と、を備えた歯ブラシであって、
前記ヘッド部のうちの前記把持部に近い方を後方向として前記把持部から遠い方を前方向としたとき、前記毛束群は、前後方向に長いドーナツ状に配置され、
前記植毛台は、前記ドーナツ状の中央の空間の底部を含む全面に存していることを特徴とする歯ブラシ。
【請求項２】
前記空間を前方向から包囲するように配置された前記毛束群は、左右方向に連なる列の列数が１列乃至２列であること、及び、前記空間を後方向から包囲するように配置された前記毛束群は、左右方向に連なる列の列数が１列乃至２列であることを特徴とする請求項１に記載の歯ブラシ。
【請求項３】
前記空間を左方向から包囲するように配置された前記毛束群は、前後方向に連なる列の列数が２列であること、及び、前記空間を右方向から包囲するように配置された前記毛束群は、前後方向に連なる列の列数が２列であることを特徴とする請求項１又は２に記載の歯ブラシ。
【請求項４】
前記空間の前端又は後端の左右に接設すべき毛束が各１個分ずつ存しないことにより拡張された前記空間が、Ｔ型、逆Ｔ型又は正逆Ｔ複合型を形成することを特徴とする請求項３に記載の歯ブラシ。
【請求項５】
前記毛束を構成する毛は、長さが異なる２種類の毛で構成されていることを特徴とする請求項１、２、３又４に記載の歯ブラシ。
【考案の詳細な説明】
【技術分野】
【０００１】
本考案は、歯の横磨きによる歯肉の過剰擦過による外傷、歯根面の摩耗、楔状欠損等の弊害を防止し、毛束の横動きでも、根面への加圧が少なく、歯を摩耗しない歯ブラシに関するものである。
【背景技術】
【０００２】
歯を歯ブラシでゴシゴシと磨いたり、横磨きが習慣化していると、加齢に伴い歯肉が退縮し、歯根が削れて減り、歯髄腔が狭窄する結果、治療が困難になり抜歯率が高まる。また、歯周病の誘発、知覚過敏の誘発、欠損部への歯垢残留、審美障害といった弊害も生じる。
【０００３】
先行技術に、歯を磨くために使用する歯ブラシのブラシの部分の中央部に貫通する穴を設けたことを特長とする歯ブラシが開示されているが（特許文献１参照）、歯ブラシのブラシ部に押し出したペーストが、歯磨き動作の開始時にブラシ部から落下することを防止するという課題を解決すべく、貫通孔にペーストを注入できるようにした技術であり、貫通する穴を設けることが必須であって、貫通しない場合には課題解決のための作用効果を奏しないため、貫通しない場合については記載も示唆もされていない。
【０００４】
先行技術に、ブラシ面を交換できる衛生的に優れた技術であり、専ら磨き剤や濯ぎ水を使用しないでも、時と場所を選ばずに歯間や歯周に在る異物の排除と歯茎のマッサージを咄嗟に行える歯ブラシを提供すべく、ブラシ部分については、リング枠状で平面がリングの内側に傾斜したブラシ台１の平面縦中央部に底面下に抜けてハンドル台接続を補強する為の凹凸がある凹凸通孔２を設け、凹凸通孔２中央横の両サイドにハンドル部分を止める係止溝３を設け、凹凸通孔２を囲むリング枠状の平面に植毛穴と底面に抜けるハンドル台接続を補強する凹凸突起孔５を設け、平面に予め定めておいた植毛穴の位置に植毛束４を数個植毛し、底面部には平面から抜けた凹凸通孔２と平面から抜けた凹凸突起孔５が現れる構成した組み立て歯ブラシに使うブラシ部分に成る部品、ブラシ植毛台を作る技術が開示されているが（特許文献２参照）、６個の毛束がブラシ植毛台に略均等幅に配置されているため、ドーナツ状に配置されているわけではない。
【０００５】
先行技術に、歯の形状に応じて、適切に歯磨きを行うことのできる歯ブラシを提供すべく、長さの異なる毛束を有する歯ブラシ１であって、ヘッド部１１と、ヘッド部１１に接続された把持部とを備え、ヘッド部１１には、長手方向の一方の辺から他方の辺に渡った隙間を隔てて、毛束群が複数配置され、毛束群は、第１の毛束と、第１の毛束よりも全長が長い第２の毛束と、を有する技術があり、毛束群が複数配置された図が開示されているが（特許文献３参照）、毛束群がドーナツ状に配置されているわけではない。
【先行技術文献】
【特許文献】
【０００６】
【特許文献１】実用新案登録第３１０２９２２号公報
【特許文献２】特開２０１３−８１７３８号公報
【特許文献３】実用新案登録第３２０１６９２号公報
【考案の概要】
【考案が解決しようとする課題】
【０００７】
解決しようとする課題は、歯と歯肉に優しく、為害性が少なく、歯垢除去効率及び歯の延命率が高い歯ブラシとして、使用者の口腔衛生・管理の向上に寄与する歯ブラシを提供することである。
【課題を解決するための手段】
【０００８】
本考案は、毛束群と該毛束群が植設された植毛台とを含むヘッド部と、該ヘッド部に延接された把持部と、を備えた歯ブラシであって、該ヘッド部のうちの該把持部に近い方を後方向として該把持部から遠い方を前方向としたとき、該毛束群は、前後方向に長いドーナツ状に配置され、該植毛台は、該ドーナツ状の中央の空間の底部を含む全面に存していることを特徴の第１とする。
【０００９】
本考案は、該空間を前方向から包囲するように配置された該毛束群は、左右方向に連なる列の列数が１列乃至２列であること、及び、該空間を後方向から包囲するように配置された該毛束群は、左右方向に連なる列の列数が１列乃至２列であることを特徴の第２とする。
【００１０】
本考案は、該空間を左方向から包囲するように配置された該毛束群は、前後方向に連なる列の列数が２列であること、及び、該空間を右方向から包囲するように配置された該毛束群は、前後方向に連なる列の列数が２列であることを特徴の第３とする。
【００１１】
本考案は、該空間の前端又は後端の左右に接設すべき毛束が各１個分ずつ存しないことにより拡張された該空間が、Ｔ型、逆Ｔ型又は正逆Ｔ複合型を形成することを特徴の第４とする。
【００１２】
本考案は、該毛束を構成する毛は、長さが異なる２種類の毛で構成されていることを特徴の第５とする。
【考案の効果】
【００１３】
本考案の歯ブラシは、該特徴の第１を有するため、臼歯部を磨く際には、該ドーナツ状の中央の空間に咬頭を嵌合させて支点にすることにより、咬合面裂溝・歯肉溝を適正に刷掃することができる。前歯部を磨く際には、該ドーナツ状の中央の空間に前歯を嵌合させて歯肉方向に加圧し掃微動する事により、歯肉ポケットの歯垢を効率良く除去し、歯頚部の刷掃をすることができる。
【００１４】
本考案の歯ブラシは、該特徴の第２を有するため、歯間部や奥歯部の奥の歯垢を効率良く除去し、刷掃をすることができる。
【００１５】
本考案の歯ブラシは、該特徴の第３を有するため、咬合面の裂溝・歯肉溝・歯肉ポケット・歯間部の歯垢を効率良く除去することができる。
【００１６】
本考案の歯ブラシは、該特徴の第４を有するため、歯並びが良くない使用者にあっても、毛束が少ないことにより歯間に入り易くなり、上記効果を奏することができる。
【００１７】
本考案の歯ブラシは、該特徴の第５を有するため、歯肉及び歯頚部根面に優しく、歯垢除去効果が高い。
【図面の簡単な説明】
【００１８】
【図１】本考案の実施例１の前後方向に連なる列の列数が奇数列の場合の歯ブラシのヘッド部の概念図である。
【図２】本考案の実施例２の前後方向に連なる列の列数が偶数列の場合の歯ブラシの概念図である。
【図３】本考案の実施例３の歯ブラシのヘッド部の平面図である。
【図４】本考案の実施例４のＴ型、逆Ｔ型及び正逆Ｔ複合型の場合の其々の歯ブラシのヘッド部の平面図である。
【図５】本考案の実施例５の歯ブラシのヘッド部の側面図である。
【考案を実施するための形態】
【００１９】
歯と歯肉に優しく、為害性が少なく、歯垢除去効率及び歯の延命率が高い歯ブラシとして、使用者の口腔衛生・管理の向上に寄与する歯ブラシを実現した。
【００２０】
請求項１に記載の「前後方向に長いドーナツ状に配置され」とは、毛束を植設すべき孔が植毛台に略均等幅毎に整列していると仮定した場合において、前後方向に連なる該孔の列のうちの中央の列に毛束が存しないことによる空間を形成しており、該空間部分の底部の該孔の前後方向の列の長さは孔４個分以上であり、該空間を前後方向から包囲するように配置された該毛束群は、左右方向に連なる列の列数が其々１列以上であり、また、該空間を左右方向から包囲するように配置された該毛束群は、前後方向に連なる列の列数が其々１列以上である場合をいう。「ドーナツ状」とは略環状を意味し、該毛束群全体が略環状に連なるべく、該空間を前後左右方向から包囲する毛束の各列が、少なくとも前後左右各１列は略均等幅で抜けがなく揃っている状態をいう。なお、「前後方向に連なる該孔の列のうちの中央の列」とは、前後方向に連なる列の列数が奇数列の場合には中央の１列をいい、前後方向に連なる列の列数が偶数列の場合には中央の２列をいう。
【００２１】
請求項４の「前記空間の前端又は後端の左右に接設すべき毛束が各１個分ずつ存しないことにより拡張された前記空間」を形成するとき、毛束を植設すべき孔が植毛台に略均等幅毎に整列していると仮定した場合において、（１）前後方向に連なる該孔の列のうちの中央の列に毛束が存しないことによる空間を形成しており、（２）該空間部分の底部の該孔の前後方向の列の長さは孔４個分以上であり、（３）該空間を前後方向から包囲するように配置された該毛束群は、左右方向に連なる列の列数が其々１列以上であり、（４）該空間を左右方向から包囲するように配置された該毛束群は、前後方向に連なる列の列数が其々１列以上である場合であって、（５）該毛束群全体が略環状に連なるべく、該空間を前後左右方向から包囲する毛束の各列が、少なくとも前後左右各１列は略均等幅で抜けがなく揃っているため、請求項１に記載の「前後方向に長いドーナツ状に配置され」を充足していることは言うまでもない。
【実施例１】
【００２２】
図１は、本考案の請求項１の実施例である。図１は、本考案の実施例１の前後方向に連なる列の列数が奇数列の場合の歯ブラシのヘッド部の概念図である。
【００２３】
本考案の実施例１の歯ブラシは、毛束群と該毛束群が植設された植毛台とを含むヘッド部と、該ヘッド部に延接された把持部（図示せず）と、を備えた歯ブラシであって、該ヘッド部のうちの該把持部に近い方を後方向として該把持部から遠い方を前方向としたとき、該毛束群は、前後方向に長いドーナツ状に配置され、該植毛台は、該ドーナツ状の中央の空間の底部を含む全面に存している。
【００２４】
該ヘッド部は、毛束を植設すべき孔が植毛台１０１に略均等幅毎に整列していると仮定した場合において、前後方向に連なる該孔の列のうちの中央の列に毛束が存しないことによる空間１０２を形成しており、空間１０２部分の底部の該孔の前後方向の列の長さは孔６個分であり、空間１０２を前後方向から包囲するように配置された毛束群１０３は、左右方向に連なる列の列数が其々１列であり、また、空間１０２を左右方向から包囲するように配置された毛束群１０４は、前後方向に連なる列の列数が其々１列である。該毛束群全体が略環状に連なるべく、該空間を前後左右方向から包囲する毛束の各列が、前後左右各１列は略均等幅で抜けがなく揃っている。なお、「前後方向に連なる該孔の列のうちの中央の列」とは、中央の１列をいう。
【００２５】
実施例１では、空間１０２を前方向から包囲するように配置された毛束群１０３は、毛束１個であるが、「毛束群」及び「左右方向に連なる列の列数」の概念に含まれることとする。
【００２６】
図１では、前後方向に連なる該孔の列のうちの中央の列に毛束が存しないことによる空間１０２の該孔の数を表現すべく、×印を用いている。なお、空間１０２部分の底部の該孔は、空間１０２のサイズを示すための便宜的表現であり、空間１０２部分の底部の該孔が実際に存することを要しないことは言うまでもない。
【００２７】
実施例１の歯ブラシは、臼歯部を磨く際には、空間１０２に咬頭を嵌合させて支点にすることにより、咬合面裂溝・歯肉溝を適正に刷掃することができる。前歯部を磨く際には、空間１０２に前歯を嵌合させて歯肉方向に加圧し掃微動する事により、歯肉ポケットの歯垢を効率良く除去し、歯頚部の刷掃をすることができる。
【実施例２】
【００２８】
図２は、本考案の請求項１の実施例である。図２は、本考案の実施例２の前後方向に連なる列の列数が偶数列の場合の歯ブラシの概念図である。
【００２９】
本考案の実施例２の歯ブラシは、毛束群と該毛束群が植設された植毛台とを含むヘッド部と、該ヘッド部に延接された把持部（図示せず）と、を備えた歯ブラシであって、該ヘッド部のうちの該把持部に近い方を後方向として該把持部から遠い方を前方向としたとき、該毛束群は、前後方向に長いドーナツ状に配置され、該植毛台は、該ドーナツ状の中央の空間の底部を含む全面に存している。
【００３０】
該ヘッド部は、毛束を植設すべき孔が植毛台２０１に略均等幅毎に整列していると仮定した場合において、前後方向に連なる該孔の列のうちの中央の列に毛束が存しないことによる空間２０２を形成しており、空間２０２部分の底部の該孔の前後方向の列の長さは孔４個分であり、空間２０２を前後方向から包囲するように配置された毛束群２０３は、左右方向に連なる列の列数が其々２列であり、また、空間２０２を左右方向から包囲するように配置された毛束群２０４は、前後方向に連なる列の列数が其々１列である。該毛束群全体が略環状に連なるべく、該空間を前後左右方向から包囲する毛束の各列が、前後左右各１列乃至２列は略均等幅で抜けがなく揃っている。なお、「前後方向に連なる該孔の列のうちの中央の列」とは、中央の２列をいう。
【００３１】
図２では、前後方向に連なる該孔の列のうちの中央の列に毛束が存しないことによる空間２０２の該孔の数を表現すべく、×印を用いている。空間２０２部分の底部の該孔は、空間２０２のサイズを示すための便宜的表現であり、空間２０２部分の底部の該孔が実際に存することを要しないことは言うまでもない。
【００３２】
実施例２の歯ブラシは、臼歯部を磨く際には、空間２０２に咬頭を嵌合させて支点にすることにより、咬合面裂溝・歯肉溝を適正に刷掃することができる。前歯部を磨く際には、空間２０２に前歯を嵌合させて歯肉方向に加圧し掃微動する事により、歯肉ポケットの歯垢を効率良く除去し、歯頚部の刷掃をすることができる。
【実施例３】
【００３３】
図３は、本考案の請求項２及び３の実施例である。図３は、本考案の実施例３の歯ブラシのヘッド部の平面図である。
【００３４】
本考案の実施例３の歯ブラシは、毛束群と該毛束群が植設された植毛台とを含むヘッド部と、該ヘッド部に延接された把持部（図示せず）と、を備えた歯ブラシであって、該ヘッド部のうちの該把持部に近い方を後方向として該把持部から遠い方を前方向としたとき、該毛束群は、前後方向に長いドーナツ状に配置され、該植毛台は、該ドーナツ状の中央の空間の底部を含む全面に存している。
【００３５】
該空間部分の前後方向の列の長さは孔５個分である。
【００３６】
該空間を前方向から包囲するように配置された毛束群３０１は、左右方向に連なる列の列数が２列であり、該空間を後方向から包囲するように配置された毛束群３０２は、左右方向に連なる列の列数が１列である。
【００３７】
該空間を左方向から包囲するように配置された毛束群３０３は、前後方向に連なる列の列数が２列であり、該空間を右方向から包囲するように配置された毛束群３０４は、前後方向に連なる列の列数が２列である。
【００３８】
該毛束群全体が略環状に連なるべく、該空間を前後左右方向から包囲する毛束の各列が、前後左右各１列乃至２列は略均等幅で抜けがなく揃っている。
【００３９】
実施例３の歯ブラシは、該空間を前方向から包囲するように配置された毛束群３０１が、左右方向に連なる列の列数が２列であり、該空間を後方向から包囲するように配置された毛束群３０２が、左右方向に連なる列の列数が１列であるため、歯間部や奥歯部の奥の歯垢を効率良く除去し、刷掃をすることができる。
【００４０】
実施例３の歯ブラシは、該空間を左方向から包囲するように配置された毛束群３０３が、前後方向に連なる列の列数が２列であり、該空間を右方向から包囲するように配置された毛束群３０４が、前後方向に連なる列の列数が２列であるため、咬合面の裂溝・歯肉溝・歯肉ポケット・歯間部の歯垢を効率良く除去することができる。
【実施例４】
【００４１】
図４は、本考案の請求項４の実施例である。図４は、本考案の実施例４のＴ型、逆Ｔ型及び正逆Ｔ複合型の場合の其々の歯ブラシのヘッド部の平面図である。
【００４２】
本考案の実施例４の歯ブラシは、毛束群と該毛束群が植設された植毛台とを含むヘッド部と、該ヘッド部に延接された把持部（図示せず）と、を備えた歯ブラシであって、該ヘッド部のうちの該把持部に近い方を後方向として該把持部から遠い方を前方向としたとき、該毛束群は、前後方向に長いドーナツ状に配置され、該植毛台は、該ドーナツ状の中央の空間の底部を含む全面に存している。
【００４３】
該空間部分の前後方向の列の長さは孔５個分である。
【００４４】
該空間を前方向から包囲するように配置された毛束群４０１は、左右方向に連なる列の列数が２列であり、該空間を後方向から包囲するように配置された毛束群４０２は、左右方向に連なる列の列数が１列である。
【００４５】
該空間を左方向から包囲するように配置された毛束群４０３は、前後方向に連なる列の列数が２列であり、該空間を右方向から包囲するように配置された毛束群４０４は、前後方向に連なる列の列数が２列である。
【００４６】
該毛束群全体が略環状に連なるべく、該空間を前後左右方向から包囲する毛束の各列が、前２列は略均等幅で抜けがなく揃っており、後左右各１列は略均等幅で抜けがなく揃っている。
【００４７】
本考案の実施例４のＴ型の空間を形成する歯ブラシは、該空間の前端の左右に接設すべき毛束が各１個分ずつ存しないことにより拡張された該空間が、Ｔ型を形成する。
【００４８】
本考案の実施例４の逆Ｔ型の空間を形成する歯ブラシは、該空間の後端の左右に接設すべき毛束が各１個分ずつ存しないことにより拡張された該空間が、逆Ｔ型を形成する。
【００４９】
本考案の実施例４の正逆Ｔ複合型の空間を形成する歯ブラシは、該空間の前後端の左右に接設すべき毛束が各１個分ずつ存しないことにより拡張された該空間が、正逆Ｔ複合型を形成する。
【００５０】
実施例４の各歯ブラシは、該空間の前端又は後端の左右に接設すべき毛束が各１個分ずつ存しないことにより拡張された該空間が、Ｔ型、逆Ｔ型又は正逆Ｔ複合型を形成するため、歯並びが良くない使用者にあっても、毛束が少ないことにより歯間に入り易くなり、高い刷掃効果を奏することができる。
【実施例５】
【００５１】
図５は、本考案の請求項５の実施例である。図５は、本考案の実施例５の歯ブラシのヘッド部の側面図である。
【００５２】
本考案の実施例５の歯ブラシは、毛束群と該毛束群が植設された植毛台とを含むヘッド部と、該ヘッド部に延接された把持部（図示せず）と、を備えた歯ブラシであって、該ヘッド部のうちの該把持部に近い方を後方向として該把持部から遠い方を前方向としたとき、該毛束群は、前後方向に長いドーナツ状に配置され、該植毛台は、該ドーナツ状の中央の空間の底部を含む全面に存しているところ、該毛束を構成する毛は、長さが異なる２種類の毛で構成されている。
【００５３】
実施例５の歯ブラシは、該毛束を構成する毛が、長さが異なる２種類の毛で構成されているため、歯肉及び歯頚部根面に優しく、歯垢除去効果が高い。
【００５４】
以上が、請求項１乃至５に記載の「歯ブラシ」の主な構成である。
【産業上の利用可能性】
【００５５】
本考案によれば、歯と歯肉に優しく、為害性が少なく、歯垢除去効率及び歯の延命率が高い歯ブラシとして、使用者の口腔衛生・管理の向上に寄与する歯ブラシを提供することが可能である。
【符号の説明】
【００５６】
１０１    植毛台
１０２    空間
１０３    空間１０２を前後方向から包囲するように配置された毛束群
１０４    空間１０２を左右方向から包囲するように配置された毛束群
２０１    植毛台
２０２    空間
２０３    空間２０２を前後方向から包囲するように配置された毛束群
２０４    空間２０２を左右方向から包囲するように配置された毛束群
３０１    空間を前方向から包囲するように配置された毛束群
３０２    空間を後方向から包囲するように配置された毛束群
３０３    空間を左方向から包囲するように配置された毛束群
３０４    空間を右方向から包囲するように配置された毛束群
４０１    空間を前方向から包囲するように配置された毛束群
４０２    空間を後方向から包囲するように配置された毛束群
４０３    空間を左方向から包囲するように配置された毛束群
４０４    空間を右方向から包囲するように配置された毛束群
【図１】
0003215254.tif 000003
【図２】
0003215254.tif 000004
【図３】
0003215254.tif 000005
【図４】
0003215254.tif 000006
【図５】
0003215254.tif 000007